(57)【要約】【課題】  温度管理が可能な状態になっているか否か経験に頼ることなく誰にでも容易に確認することができ、適正な温度での管理を確実に行うことが可能な温度管理媒体を提供することを目的とする。【解決手段】  シート体からなる内包材２内に、常温で液体で、かつ、所定温度まで冷却すると凝固する乳化液３を収容し、周囲を密閉する。一方、台紙４の上面に、凝固前の色彩と同じ色彩を呈した第一の領域Ａと乳化液２の凝固後の色彩と同じ色彩を呈した第二の領域Ｂとを有するように設ける。次いで、この台紙４の上に、この二つの領域Ａ，Ｂを跨ぐように乳化液３を収容した内包材２を配置する。そして、乳化液３は昇温により融解し、相分離する。以上のような構成により温度管理媒体１とする。【選択図】        図２
2006200895.tif 000002
【特許請求の範囲】
【請求項１】
常温で液体で、かつ、所定温度まで冷却すると凝固する乳化液と、
前記乳化液を封入し周囲を密閉したシート体からなる内包材と、
を少なくとも備えてなる温度管理媒体であって、
前記内包材は、前記所定温度の前後で変化する乳化液の色彩にそれぞれ対応した色彩を呈する第一の領域と第二の領域に跨るように配置されていることを特徴とする温度管理媒体。
【請求項２】
前記二つの領域の間に、乳化液の色彩とは異なる色彩を呈する第三の領域が設けられていることを特徴とする請求項１に記載の温度管理媒体。
【発明の詳細な説明】
【技術分野】
【０００１】
本発明は、物品が一旦、冷蔵温度の雰囲気中に曝され、その後、これより高い温度の雰囲気中に曝されたか否かという温度履歴を容易に確認することが可能な、常温で液体で、かつ、所定温度まで冷却すると凝固する乳化液を用いた温度管理媒体に関する。
【背景技術】
【０００２】
近年、冷凍あるいは冷蔵した状態で配送される荷物が一段と増加するに伴って、これらの荷物を配達先まで予め決められた温度に保ちながら運搬する宅配便などの配送手段が普及している。このような配達手段を用いて荷物を配送すると、例えば、集荷元の冷凍・冷蔵施設から配送車へ荷物を積み込む時、配送車間で荷物を積み替える時、配送車から荷物を取り出し配達先へ配達する時などに、本来ならば冷凍・冷蔵状態が保たれなければならない荷物が、直射日光による高温雰囲気や室温雰囲気に曝されることがある。
【０００３】
また、無事に冷凍・冷蔵状態が保たれながら配達先に届けられた後も、荷物の冷凍・冷蔵状態が保たれることが求められる。荷物の中身が食品や医薬品である場合、これらの冷凍・冷蔵状態が保たれないと、これらに変質や雑菌の繁殖などが生じて、その品質が損なわれるおそれがある。極端な場合、食品や医薬品の冷凍・冷蔵状態が保たれないと、食中毒や医療事故などを誘発しかねない。このような厳格な温度管理が求められるものとしては、食品や医薬品の他に、例えば、化学分野や写真分野で用いられる各種薬品などが挙げられる。
【０００４】
従来、上述のような温度管理が正常に行われているか否かを簡便に確認する方法として、以下に示す方法が提案されている。
例えば、特許文献１には、脂溶性色素を溶解した炭素数７〜１５の高級アルコールの１種または２種以上が、非イオン系界面活性剤および水に分散されてなる乳化液（エマルション）を、密封容器に充填してなる保存温度管理用インジケータが開示されている。この保存温度管理用インジケータは、通常の温度条件下では、外観上は、乳化液の色素の色調が抑えられ、不透明な乳濁色を呈している。一方、この保存温度管理用インジケータが、乳化液が氷結する温度以下に曝されると、一旦、乳化液の全成分が凝固するが、乳化液が再び融解するとき、粗大化した乳化粒子は浮上し、色素の濃い色調を有した油滴または油層が上層へ浮上し、水層と、油滴または油層とに分離する。よって、このような変化が認められた保存温度管理用インジケータを含む包装内の物品は劣化している恐れがあるとして使用時に注意を促すことができる。
【０００５】
また、特許文献２には、室温で液状の、保存管理温度を超えると溶融する油性物質を非イオン界面活性剤および水によってエマルション化してなるＯ／Ｗ型エマルション層と、上記油性物質のみを選択的に拡散透過する、油溶性色素をエマルション層と反対面に設けてなる障壁と、油性物質を拡散透過する不透明層とを密封容器に順次設けてなる保存温度管理用インジケータが開示されている。この保存温度管理用インジケータは、Ｏ／Ｗ型エマルション層が、一旦、氷点下にて凍結した後、解凍する際に、水と油性物質とに相分離し、この油性物質のみが障壁を拡散透過して、障壁の上に設けられた油溶性色素を溶かし、さらに油溶性色素の上の不透明層を拡散透過して発色または着色する。これにより、厳格な温度管理を必要とする物品に異常があったことを肉眼で容易に検知することができる。
【０００６】
上述した従来の方法には、以下に示すような課題があった。
１つには、環境ホルモンであることが知られている非イオン性界面活性剤を使用することから、上記の保存温度管理用インジケータを食品や医薬品などに貼付して用いる場合、その安全性を確保することが難しい。例えば、意識せずに上記のような乳化液が充填されている密封容器を破損すると、乳化液が皮膚、食品、薬品などに付着するおそれがある。乳化液が皮膚に付着すると、その非イオン性界面活性剤が皮膚から体内に吸収されて健康を害するおそれがある。また、乳化液が食品や薬品に付着すると、その食品や薬品を誤って飲み込んだ結果、非イオン性界面活性剤が体内に吸収されて健康を害するおそれがある。
【０００７】
また、従来の温度管理用インジケータは、室温にて保存可能な期間が数日〜６ヶ月程度と短く、長期に渡って室温にて安定に保存することができないという問題があった。
【０００８】
また、これらの温度管理用インジケータは、乳化液が凝固する予め設定された温度（以下、「起動温度」という。）まで達していることを条件に、その後、温度管理に異常があったことを乳化液の状態が変化することで報知するものであるが、乳化液が起動温度以下に達しているのか否か判断する場合、経験によるところの指で押した乳化液の感触を手がかりとするしかなく、経験に頼ることなく誰にでも簡便に確認することができなかった。したがって、その判断に誤って起動温度に達することなく保管・移動された荷物は、その後、温度管理に異常があったとしても乳化液の状態が変化することはなく、乳化液の状態の確認時に適正な温度が維持され、かつ、乳化液の状態が変化していなければ、恰も適正な温度を維持したまま保管・移動されたものと見なされてしまうものであった。
【特許文献１】特開昭５７−３７２２７号公報
【特許文献２】特開平５−１４９７９７号公報
【発明の開示】
【発明が解決しようとする課題】
【０００９】
本発明は、前記事情に鑑みてなされたもので、食しても安全、長期に渡って室温にて安定に保存可能で所定温度で作動することは勿論のこと、温度管理が可能な状態になっているか否か経験に頼ることなく誰にでも容易に確認することができ、適正な温度での管理を確実に行うことが可能な温度管理媒体を提供することを目的とする。
【課題を解決するための手段】
【００１０】
本発明は、上記課題を解決するために、常温で液体で、かつ、所定温度まで冷却すると凝固する乳化液と、前記乳化液を封入し周囲を密閉したシート体からなる内包材と、を少なくとも備えてなる温度管理媒体であって、前記内包材は、前記所定温度の前後で変化する乳化液の色彩にそれぞれ対応した色彩を呈する第一の領域と第二の領域に跨るように配置されている温度管理媒体を提供する。
【００１１】
ここで、常温で液体で、かつ、所定温度まで冷却すると凝固する乳化液とは、例えば、昇温により融解し、相分離するものであって、水、油脂およびリン脂質を含む脂質混合物からなるものをいう。
また、所定温度の前後で変化する乳化液の色彩にそれぞれ対応した色彩とは、本発明の乳化液は、凝固することで色彩が多少変化するものであるが、この色彩の変化は非常に見極め難いものであるので、その差異が簡便にわかるように視覚的に示した、凝固前の乳化液の色彩と等しいか、または類似した色彩と、凝固後の乳化液の色彩と等しい色彩のことをいう。したがって、第一の領域が乳化液の凝固前または凝固後の何れか一方の色彩を呈した領域となり、第二の領域が他方の色彩を呈した領域となる。
【００１２】
かかる構成によれば、温度管理媒体は、常温で液体で、かつ、所定温度まで冷却すると凝固する乳化液を充填した内包材を、乳化液の凝固前の色彩を呈した領域と凝固後の色彩を呈した領域とに跨るように配置するものであるから、温度管理を要する物品もしくは当該物品を収納する箱体の外部にこの温度管理媒体を貼り付けて冷却すると、乳化液は、予め示された二つの色彩の何れか一方の色彩から他方の色彩に変化し、所定温度になったか否かが視覚的に報知される。したがって、視覚による確認時の乳化液の色彩が、跨って配置した二の領域の何れの色彩と等しいか色彩同士を実際に対比することができ、記憶や経験に頼る曖昧さがなく、誰にでも容易に判断することができる。
【００１３】
内包材は、少なくともその一部が透明性を有するものであるから、内包材に収容された温度履歴を示す乳化液の状態を外部から容易に目視可能とすることができる。
また、乳化液は、所定温度以下にて凝固し、再び所定温度を超える温度に昇温することにより融解し、相分離して、一旦、相分離したら二度と元の乳化液には戻らないから、この相分離した状態を、光学的に識別することで、この乳化液を用いた温度管理媒体が具備された荷物が、設定した以上の高温に曝されたか否かを判別できる。また、温度管理媒体の乳化液は、１年以上室温保存しても、相分離することなく、安定に分散状態（エマルションの形態）を保つことができる。また、人体に悪影響を及ぼすことのない、水、油脂およびリン脂質を含む脂質混合物から構成されているから、意識せずに乳化液が皮膚、食品、薬品に付着し、その結果、乳化液が体内に入っても、健康を害することはない。
【００１４】
また、前記脂質混合物はレシチンおよびリゾレシチンが主成分であることが好ましい。  かかる構成によれば、乳化液が、界面活性剤のレシチンおよびリゾレシチンを含むから、１年以上室温にて安定に保存することができる。
また、前記油脂はトリアシルグリセロールを主成分とし、前記所定温度前後で凝固する食用油脂であることが好ましい。かかる構成によれば、乳化液が所定温度以下にて凝固し、乳化液が再び所定温度を超える温度に昇温することにより融解し、相分離して、一旦、相分離したら二度と元の乳化液には戻らない。
【００１５】
上記構成の温度管理媒体において、前記二つの領域の間に、所定温度前後で変化する乳化液の二つの色彩とは異なる色彩を呈する第三の領域が設けられていることが好ましい。この第三の領域は、第一の領域と第二の領域とが互いに接することなく完全に分かれるようにその間に設けるようにしても良いし、第一の領域と第二の領域とが部分的に接する箇所が残るように設けても良い。
かかる構成によれば、乳化液の二つの色彩とは異なる色彩を呈する第三の領域が設けられているから、所定温度前後で変化する乳化液の二つの色彩が同系色で見極めがし辛い場合でも、乳化液の色彩が前記二つの色彩と同化してしまうことなく、第三の領域によって乳化液の色彩を見やすく際立たせることができ、乳化液の色彩と第三の領域の色彩とを比較することによって乳化液の色彩の変化を見逃すことなく判断することができ、精度の高い温度管理を行うことができる。
【発明の効果】
【００１６】
本発明の温度管理媒体は、常温で液体で、かつ、所定温度まで冷却すると凝固することによって温度履歴を示す乳化液を内包材内に収容し、この内包材を、乳化液の凝固前の色彩を呈した領域と凝固後の色彩を呈した領域とを有する台紙上に、この二つの領域を跨るように配置する構成とするものであるから、温度管理媒体が所定温度に達し温度管理が可能な状態になっていることを、経験に頼ることなく色彩が変化するという誰にでも容易な目視にて確認することができるものとなる。
したがって、本発明の温度管理媒体は、温度管理媒体を起動させる確実さを高め、適正な温度での管理を確実に行うことができる。また、温度管理を要する物品を収納する箱体の外部に設置することで利用できる。さらに、温度管理媒体を箱体の外部に設置することができることによって、箱体を開封することなく容易に箱体内の物品の温度履歴を確認でき、製品形態を崩すことなく、物品に対する信頼性を維持させることができる。しかも、内包材は少なくともその一部が透明性を有するものであるから、被温度測定物の温度履歴を示す乳化液の状態を箱体の外部からでも容易に確認することができる。
【００１７】
また、本発明の温度管理媒体は、乳化液の凝固前の色彩を呈した領域と凝固後の色彩を呈した領域との間に、所定温度前後で変化する乳化液の二つの色彩とは異なる色彩を呈する第三の領域が設けられた構成とするものであるから、乳化液の色彩と前記二つの色彩が何れも同系色であった場合、乳化液が所定温度前後で変化する二つの領域の色彩に同化して、色彩の変化が確認しづらくなってしまうことがなく、乳化液の色彩に変化があったことを見逃さずに、精度の高い温度管理を行うことができる。
したがって、本発明の温度管理媒体によれば、宅配便などで配送される荷物の温度管理を簡易に行うことができる。
【発明を実施するための最良の形態】
【００１８】
以下、本発明を実施した温度管理媒体について詳細に説明する。
図１は、本発明に係る温度管理媒体の一実施形態を示す概略断面図、また、図２は、本発明に係る温度管理媒体の一実施形態を示す概略平面図であり、それぞれ乳化液を収容した内包材を、隣接して設けられた乳化液の凝固前の色彩を呈した領域と凝固後の色彩を呈した領域とに跨るように配置した状態を表している。
図１中、符号１は温度管理媒体、２は内包材、３は乳化液、４は台紙、Ａは凝固前の色彩を呈した第一の領域、Ｂは凝固後の色彩を呈した第二の領域をそれぞれ示している。
【００１９】
この実施形態の温度管理媒体１は、乳化液３を収容した内包材２を、凝固前の色彩を呈した第一の領域Ａと凝固後の色彩を呈した第二の領域Ｂとを備える台紙４上に、この二つの異なる色彩を呈する領域に跨るように配置することにより構成されている。
内包材２は、たとえばシート体を用いることより構成され、一枚のシート体を折り曲げたり、二枚のシート体を重ね合わせたりして、その周囲を密閉することにより袋状に構成される。また、内包材２は、少なくともその一部が透明性を有し、内部に充填された前記乳化液３の状態が外部より目視可能となっている。
このシート体は、たとえばナイロンやポリエチレンなどの合成樹脂よりなり、熱溶着可能なものが望ましい。具体的には、凸版印刷社製の透明蒸着バリアフィルムであるＧＬフィルムを用いることができる。また、シート体は、複数のフィルムを積層して構成しても良い。本実施形態でのシート体は、ナイロン樹脂よりなるフィルムの内側となる面に、熱溶着のためのポリエチレン樹脂よりなるフィルムをラミネートした二重構造となっている。さらに、シート体は、酸素透過性、水蒸気透過性の低いものが望ましい。
【００２０】
乳化液３は、常温で液体で、かつ、所定温度まで冷却すると凝固するものであり、袋などの内包材２内に充填することにより構成されている。
台紙４は、その表面に、乳化液２の凝固前の色彩と同じ色彩を呈した第一の領域Ａと、乳化液２の凝固後の色彩と同じ色彩を呈した第二の領域Ｂとを有する、いわば色見本となっている。本実施形態では、図１及び図２に示すように、第一の領域Ａが濃色で示され、第二の領域Ｂが淡色で示されている。
【００２１】
また、台紙４は、被温度測定物を収容する箱体の外部に貼り付けることか可能なように、乳化液２の凝固前後にそれぞれ相当する色彩を呈する第一の領域Ａ及び第二の領域Ｂが備えられていない裏面に粘着部をすると望ましい。
この箱体は、たとえば、ダンボールや発泡スチロール等の運搬可能な容器をいう。したがって、本実施形態では、温度管理媒体１において内包材２と前記第一の領域Ａ及び第二の領域Ｂが備えられていない面、すなわち台紙４の裏面を箱体側に向け、この裏面に設けられた粘着部を介して箱体の外部に貼りつけ固定する構成となっている。これにより、箱体を開封することなく、起動温度の状態と乳化液３の状態が外側より確認できることとなる。そして、被温度測定物は、このような構成とした箱体の内部に収容され、冷凍あるいは冷蔵した状態で配送または保存される。
【００２２】
次に、乳化液３について詳しく説明する。
乳化液３は、水、油脂およびリン脂質を含む脂質混合物から構成されるエマルションである。この乳化液３は、水または油脂のいずれか一方が分散媒（連続相）をなし、他方が分散相（不連続相）をなしており、リン脂質を含む脂質混合物が界面活性剤として機能し、水または油脂のいずれか一方が他方に微粒子状に分散している。また、乳化液３は、分散媒（連続相）が水で、分散相（不連続相）が油脂の場合、水中油滴型（Ｏｉｌ  ｉｎ  Ｗａｔｅｒ型：Ｏ／Ｗ型）エマルションをなし、一方、分散媒（連続相）が油脂で、分散相（不連続相）が水の場合、油中水滴型（Ｗａｔｅｒ  ｉｎ  Ｏｉｌ型：Ｗ／Ｏ型）エマルションをなす。
【００２３】
乳化液３において、水と油脂の割合（水：油）は、目的とする温度管理媒体１の作動温度（乳化液３の凝固する温度）範囲に応じて適宜調整されるが、５：９５（ｗｔ：ｗｔ）〜９５：５（ｗｔ：ｗｔ）が望ましく、１０：９０（ｗｔ：ｗｔ）〜６０：４０（ｗｔ：ｗｔ）が好ましく、１５：８５（ｗｔ：ｗｔ）〜３０：７０（ｗｔ：ｗｔ）が特に好ましい。
【００２４】
乳化液３を構成する水としては、特に限定されず、如何なる水でも用いられるが、レシチンおよびリゾレシチンへの影響を考慮すると、イオン交換水や蒸留水が好適に用いられる。
【００２５】
油脂としては、融点が０℃以上または０℃以下であり、かつ、室温（約２３℃）付近にて界面活性剤を用いて水とともに乳化液３を構成し、一旦、所定温度以下、例えば、０℃〜室温以下に曝された後、再び所定温度を超える温度に昇温することにより水と相分離するものが挙げられる。このような油脂としては、例えば、トリアシルグリセロール（ＴＡＧ）、ジアシルグリセロール（ＤＡＧ）、モノアシルグリセロール（ＭＡＧ）などの油脂を主成分とする食用油脂が挙げられる。乳化液３では、これらの油脂から選択される１種または２種以上が、目的とする温度管理媒体１の作動温度（乳化液３が凝固する温度）範囲に応じて適宜用いられる。また、融点が０℃以上の油脂と、融点が０℃以下の油脂とを適宜の割合で混合して用いるか、あるいは、融点が０℃以上の油脂または融点が０℃以下の油脂のいずれか一方を適宜用いることにより、温度管理媒体１の作動温度範囲を所望の温度範囲に制御することができる。
なお、本発明では、所定温度とは、−６０℃以上、＋２０℃以下の範囲の温度をいう。
【００２６】
また、リン脂質を含む脂質混合物としては、レシチンおよびリゾレシチンを主成分とするものが挙げられる。
【００２７】
レシチンは、乳化液３において、水または油脂のいずれか一方を他方に微粒子状に分散させるための界面活性剤として機能する。レシチンとしては、下記の一般式（１）で表される大豆レシチン、下記の一般式（５）〜（８）で表される卵黄リン脂質を含む卵黄レシチン、魚介類由来のレシチンなどが挙げられる。
【００２８】
【化１】
2006200895.tif 000003
【００２９】
上記の一般式（１）中、Ｒ１、Ｒ２は飽和および不飽和炭化水素から構成される。また、Ｂは塩基を表している。
例えば、Ｂが下記の式（２）で表される塩基である場合、上記の一般式（１）で表される大豆レシチンはホスファチジルコリン、Ｂが下記の式（３）で表される塩基である場合、上記の一般式（１）で表される大豆レシチンはホスファチジルエタノールアミン、Ｂが下記の式（４）で表される塩基である場合、上記の一般式（１）で表される大豆レシチンはホスファチジルイノシトール、Ｂが水素原子である場合、上記の一般式（１）で表される大豆レシチンはホスファチジン酸である。
【００３０】
【化２】
2006200895.tif 000004
【００３１】
【化３】
2006200895.tif 000005
【００３２】
【化４】
2006200895.tif 000006
【００３３】
【化５】
2006200895.tif 000007
【００３４】
【化６】
2006200895.tif 000008
【００３５】
【化７】
2006200895.tif 000009
【００３６】
【化８】
2006200895.tif 000010
【００３７】
大豆レシチンは、上記の式（１）に示すように、２つの脂肪酸基と、１つの塩基を有している。大豆レシチンは天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。また、大豆レシチンは、大豆を抽出した大豆粗油を濾過後、約２％の温水を加え攪拌し、ガム状となって油層から分離したものを乾燥することにより得られる。さらに、大豆レシチンは、安価で大量供給が可能であり、精製度合いによって様々な状態で得ることができるという特長を備えているので、使用条件によって種類を選択できる。
【００３８】
卵黄レシチンは、鶏卵の卵黄は水分４８％、蛋白質１６％、脂質３３％からなるが、この脂質中に３０％含まれる成分がリン脂質である。また、卵黄の脂質は中性脂肪６５％、リン脂質３０％、コレステロール４％から構成されている。また卵黄リン脂質は、上記の式（５）のホスファチジルコリン（Ｐｈｏｓｐｈａｔｉｄｙｌｃｈｏｌｉｎｅ）７０〜８０％、上記の式（６）のホスファチジルエタノールアミン（Ｐｈｏｓｐｈａｔｉｄｙｌｅｔｈａｎｏｌａｍｉｎｅ）１０〜１５％、上記の式（７）のスフィンゴミエリン（Ｓｐｈｉｎｇｏｍｙｅｌｉｎ）１〜３％、上記の式（８）のリゾホスファチジルコリン（Ｌｙｓｏｐｈｏｓｐｈａｔｉｄｙｌｃｈｏｌｉｎｅ）１〜２％から構成されている。
【００３９】
リゾレシチンは、上記のようなレシチンと同様に、乳化液３において、水または食用油脂のいずれか一方を他方に微粒子状に分散させるための界面活性剤として機能する。リゾレシチンとしては、上記の一般式（１）で表される大豆レシチン、上記の一般式（５）〜（８）で表されるレシチンなどをリゾ化して、レシチンから脂肪酸が１個取れた構造をなすものが挙げられる。ここで、リゾ化とは、酵素であるＰｈｏｓｐｈｏｌｉｐａｓｅＡ２を用いて、レシチンが持つグリセリン基の第二位の脂肪酸を脱離させることをいう。
【００４０】
また、リゾレシチンは天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。
【００４１】
乳化液３において、リン脂質を含む脂質混合物の配合量は、油脂１００質量部に対して、０．１質量部以上、４０質量部以下が好ましく、１質量部以上、２０質量部以下がより好ましい。
【００４２】
リン脂質を含む脂質混合物の配合量が、油脂１００質量部に対して、０．１質量部未満では、乳化し難い。一方、リン脂質を含む脂質混合物の配合量が、油脂１００質量部に対して、４０質量部を超えると、水に油脂およびリン脂質が分散し難くなり、うまく乳化しない。
【００４３】
また、レシチンとリゾレシチンの配合割合は、目的とする温度管理媒体１の作動温度（乳化液３の凝固する温度）範囲に応じて適宜調整されるが、２０：８０（ｗｔ：ｗｔ）〜８０：２０（ｗｔ：ｗｔ）が好ましく、７０：３０（ｗｔ：ｗｔ）〜３０：７０（ｗｔ：ｗｔ）がより好ましい。
【００４４】
また、乳化液３には、その凝固点を所望の温度範囲に調整するために、糖類や水溶性高分子を配合してもよい。糖類や水溶性高分子の種類、配合量などを変えることにより、乳化液３の凝固点を所望の温度範囲に調整することができる。
【００４５】
糖類としては、例えば、フルクトース、グルコース、ガラクトース、マンノースなどの単糖類、麦芽糖、ショ糖、ラクトース、セルビオースなどの二糖類、スタキオース、ラフィノースなどのオリゴ糖類、ペクチン、ガラクタン、デンプン、アミロース、ブルラン、アラビアガム、ヒアルロン酸、コンドロイチン硫酸ナトリウム、カルボキシメツルキチンなどの多糖類が挙げられる。これらの中でも、凝固点調整の意味から分子量の分かっている、単糖類や二糖類が望ましい。
【００４６】
水溶性高分子としては、例えば、アルギン酸ナトリウム、セルロース誘導体（例えば、メチルセルロース、カルボキシメチルセルロース、ヒドロキシエチルセルロース、ヒドロキシプロピルセルロースなど）、ゼラチン、ポリアクリル酸サミド、ポリオキシエチレンオキサイド、ポリオキシプロピレンオキサイド、ポリビニルアルコール、カルボキシビニルポリマー、ポリビニルピロリドン、ポリビニルピロリドン−酢酸ビニル共重合体、酢酸ビニル−クロトン酸共重合体、ポリアクリル酸ナトリウム、イソブテン−無水マレイン酸共重合体、ビニルメチルエーテル−無水マレイン酸共重合体、無水マレイン酸、ポリアクリルアミド、ポリビニルエーテルなどが挙げられる。水溶性高分子は、重合度が大きくなると粘性が高くなり、乳化が困難となる傾向にあることから、重量平均分子量１００，０００以下のものを使用することが好ましい。
【００４７】
また、内包材２としては、乳化液３を収容する部分（空間）を有し、乳化液３が相分離した様子を光学的に確認できる材質からなるものであれば、ガラスやプラスチック、あるいは食して無害な材料としても良い。食して無害な材料としては、例えばプルラン、オブラート、ガム、アメなどが挙げられる。その形態としては、例えば管状、板状、フィルム状、球状などが挙げられる。なお、相分離を確認するだけならば、内包材２を、乳化液３が相分離してなる水相と油相の境界付近のみ透明な材質とし、他は不透明な材質からなる構成としても良い。
【００４８】
また、乳化液３の相分離によって、内包材２内に収容されている液体の体積が変動してもその影響を受けないようにするために、例えば空気などの気体を内包材２内に封入しておいても良い。
【００４９】
また、この実施形態の温度管理媒体１は、内包材２内における乳化液３の相分離を利用したものである。すなわち、温度管理媒体１は、室温（約２３℃）近傍にて乳化液３が安定かつ均一な白色の液体であり、乳化液３が所定温度以下、例えば、０℃〜室温以下にて凝固し、乳化液３が再び所定温度を超える温度（乳化液３を構成する油脂、レシチンおよびリゾレシチンの融点を超える温度）に昇温することにより相分離して、透明な水相と、不透明な油相とに相分離して、一旦、相分離したら二度と元の乳化液には戻らない（非可逆）ことを利用したものである。このように相分離した状態を、例えば目視やセンサにより光学的に識別することで、この温度管理媒体１が具備された荷物が、設定した以上の高温に曝されたか否かを判別できる。しかも、乳化液３の相分離は非可逆であるから、温度管理媒体１が荷物から取り外されない限り、所定の温度以上の環境に曝されたことを隠すことはできない。したがって、この温度管理媒体１によれば、宅配便などで配送される荷物の温度管理を簡易に行うことができる。
【００５０】
また、相分離後に透明となる水相の性質を利用する技術としては、目視あるいはセンサで水相を確認する際に、水相の向こう側に識別記号や文字を配置してその下地の情報を読み取ったり、または鏡面を設けることによって反射光を捉えて識別したりすることで、相分離が生じたか否かを正確にかつ定量的に確認することも可能である。
【００５１】
この実施形態の温度管理媒体１では、乳化液３が、界面活性剤のレシチンおよびリゾレシチンを含み、レシチンは親油系界面活性剤として機能し、リゾレシチンは親水系界面活性剤として機能し、乳化させたときに、リゾレシチンによって、より細かい粒子が形成され、界面に界面活性剤が隙間なく配列することから、１年以上室温にて安定に保存することができる。すなわち、温度管理媒体１は、１年以上室温保存しても、乳化液３が相分離することなく、安定に分散状態（エマルションの形態）を保つことができるので、予め大量に生産しておき、必要に応じて適宜の数を用いることができる。
また、乳化液３を３５〜４０℃の雰囲気下に３ヶ月曝し、熱加速試験を行っても、変化は見られない。また、乳化液３は、約２３℃の雰囲気下に６ヶ月曝しても、変化することなく安定である。
【００５２】
また、乳化液３は、人体に悪影響を及ぼすことのない、水、油脂、リン脂質を含む脂質混合物から構成されているから、意識せずに乳化液３が皮膚、食品、薬品に付着し、その結果、乳化液が体内に入っても、健康を害することはない。よって、温度管理媒体１は、食品や薬品などを収容する箱体の外側に貼り付けて用いても、事故が発生するおそれがないことから、安全性が極めて高い。よって、本発明は、従来使用するのが難しかった分野も含めて幅広い分野において活用可能であり、かつ、包装を必ずしも要しないことから低コスト化も図れる温度管理媒体をもたらす。
【００５３】
また、油脂と、リン脂質を含む脂質混合物との組合せを適宜選択することにより、乳化液３を高粘度物の形態とすることができる。このようにすれば、乳化液３が無闇にこぼれたりすることなくその取り扱いがし易く、温度管理媒体１を使用する際の自由度が向上する。
【００５４】
次に、この実施形態の乳化液３の製造方法の一例を説明する。
まず、水にリゾレシチンを溶解して、リゾレシチンの水溶液を調製する。
次いで、油脂にレシチンを溶解して、油脂混合液を調整する。なお、油脂を２種以上用いる場合、予めこれらを混合した後、この油脂の混合物にレシチンを溶解する。
次いで、攪拌しながら、リゾレシチンの水溶液に油脂混合液を少しずつ加えて、水または油脂のいずれか一方を他方に微粒子状に分散させて、乳化液３を得る。
そして、内包材２内に乳化液３を充填した後、内包材２を密封し、この内包材２を、凝固前の色彩を呈した第一の領域Ａと凝固後の色彩を呈した第二の領域Ｂとを備える台紙４上に、この二つの異なる色彩を呈する領域に跨るように配置することで温度管理媒体１を得る。なお、この際、内包材２の乳化液３で満たされていない部分に、空気などの気体を封入してもよい。
【００５５】
また、内包材２の製造方法の一例を、図３に基づき説明する。
まず、シートロール２１よりシート体２０を引き出す（図３（ａ）参照）。次いで、このシート体２０の側縁部２０ａ同士が合わさるように折り曲げ二重にする（図３（ｂ）参照）。次に、重ね合ったシート体２０の側縁部２０ａ同士を熱溶着し、側方合わせ部２１Ａを形成してシート体２０を筒状体（以下、「筒状シート体２０」という。）とする（図３（ｃ）参照）。その後、筒状シート体２０の下端部を熱溶着して底部（図示せず）を形成した後、この筒状シート体２０内に乳化液３を充填し、さらに、一定間隔毎に区分けするように筒状シート体２０の胴部を側方合わせ部２１Ａと直交する方向に熱溶着して区分け合わせ部２１Ｂを形成する（図３（ｄ）参照）。そして、筒状シート体２０を区分け合わせ部２１Ｂで切断して内包材２とする（図３（ｅ）参照）。
【００５６】
以上のように構成した温度管理媒体１が外部に貼り付けられた箱体１０内に被温度管理物を収容すると、最初、温度管理媒体１は、図４に示すように、室温（約２３℃）近傍では、乳化液３は濃色であり、台紙４に有する乳化液２の凝固前の色彩と同じ色彩を呈した第一の領域Ａ、及び乳化液２の凝固後の色彩と同じ色彩を呈した第二の領域Ｂの両者と比較すると、乳化液３は凝固前の色彩と同じ色彩を呈した第一の領域Ａと同じ濃い色彩を呈していることが視覚的に確認できる。次いで、これを冷却し、温度管理媒体１が乳化液の凝固が開始される予め設定された温度である起動温度まで達すると、図５に示すように、乳化液３は濃色から淡色に変化し、前記二つの領域Ａ，Ｂの両者と比較すると、乳化液３は凝固後の色彩と同じ色彩を呈した第二の領域Ｂと同じ淡い色彩を呈していることが視覚的に確認できる。これにより、温度管理媒体１は、起動温度に達し、適切な温度で使用されていることが視覚的に確認できる。
そして、温度管理媒体１を常温に戻すと、図６に示すように、乳化液３は相分離して、透明な水相３１と、不透明な油相３２とに相分離し、温度管理に異常があったことが視覚的に確認できる。
【実施例】
【００５７】
以下、実施例により本発明をさらに具体的に説明するが、本発明は以下の実施例に限定されるものではない。
【００５８】
（実施例１）
まず、ポリエチレンとナイロンの透明フィルムを重ねてラミネートした二層シート体よりなる袋状軟質包装材内に、凝固が開始される温度を４℃に設定した４℃起動型乳化液を充填し、インパルスシーラーを用いてその周囲を封止することにより、２０ｍｍ×２０ｍｍで厚さ約２ｍｍの内包材を作製した。また、内包材の内部に充填した乳化液の起動前（凝固前）の色彩と同じ色彩を呈する領域と、起動後（凝固後）の色彩と同じ色彩を呈する領域を、台紙の上に隣接してそれぞれ印刷し、色見本台紙を作製した。次いで、この色見本台紙の上に、二つの色彩を跨ぐように内包材を配置することにより温度管理媒体Ａを作製した。
そして、この温度管理媒体Ａを４℃に設定した冷蔵庫内に入れて１日静置した後取り出し、予め設定された起動温度まで到達したことを、取り出した乳化液の色彩と、色見本台紙の色彩とを比較することにより確認した。この結果を表１に示す。また、この温度管理媒体Ａを２２℃の常温に置き、本当に乳化液が起動温度に達していたか否か確認した。さらに、再度冷蔵庫内に入れ４℃に冷却したときの不正再冷却確認をそれぞれ行った。その結果を併せて表１に示す。
【００５９】
（比較例１）
また、比較例１として、実施例１と同様の４℃起動型乳化液を、ポリエチレンとナイロンの透明フィルムを重ねてラミネートした二層シート体よりなる袋状軟質包装材内に充填し、その周囲をインパルスシーラーを用いて封止することにより、２０ｍｍ×２０ｍｍで厚さ約２ｍｍの温度管理媒体Ｂを作製した。
そして、実施例１と同様に、この温度管理媒体Ｂを４℃に設定した冷蔵庫内に入れ、予め設定された起動温度まで到達したことを、乳化液を指で押すことにより確認した。この結果を表１に示す。
【００６０】
（比較例２）
また、比較例２として、実施例１と同様の４℃起動型乳化液を、塩化ビニルとポリエチレンの透明フィルムを重ねてラミネートした二層シート体よりなる硬質容器内に充填し、その口部を封止することにより、２０ｍｍ×２０ｍｍ×約２ｍｍの温度管理媒体Ｃを作製した。
そして、実施例１と同様に、この温度管理媒体Ｃを４℃に設定した冷蔵庫内に入れ、予め設定された起動温度まで到達したことを、乳化材を指で押すことにより確認した。この結果を表１に示す。
【００６１】
【表１】
2006200895.tif 000011
【００６２】
表１の結果から、実施例１の本発明の温度管理媒体Ａでは、乳化液が充填された柔軟な内包材が、凝固前の色彩と同じ色彩を呈した第一の領域Ａと乳化液２の凝固後の色彩と同じ色彩を呈した第二の領域Ｂとを有する色見本台紙上に、この二つの領域Ａ，Ｂを跨ぐように設けられていることから、乳化液の色彩が、前記二つの領域Ａ，Ｂのうち何れの色彩と同じ色彩を呈しているか比較することで、目視にて簡便に起動温度に達したことを確認することができた。また、温度管理媒体Ａを常温に戻すと、乳化液が相分離していることで温度管理に異常があったことを確認することができた。さらに、温度管理媒体Ａを起動温度まで冷却すると、前記二つの領域Ａ，Ｂが呈する色彩との比較により起動温度に達したことを確認することができるが、乳化液は相分離したまま元の状態に戻らないことから、温度管理に異常があった後の不正な再冷却を確認することができた。
【００６３】
一方、比較例１の温度管理媒体Ｂでは、乳化液が充填された硬質な内包材は、凝固前の色彩と同じ色彩を呈した第一の領域Ａと乳化液２の凝固後の色彩と同じ色彩を呈した第二の領域Ｂとを有する色見本台紙上に設けられていないので、目視によって起動温度に達したことを確認することが困難であるため、手で内包材を押して乳化液の硬さにより起動温度に達したか否か判断し、常温時よりは多少硬く感じたので起動温度に達したものとみなしたが、非常に精度が劣るものであった。したがって、乳化液の凝固の前後の色彩と同じ色彩を呈する前記色見本台紙を設けることにより、温度管理媒体が起動温度に達したか否か精度良く、容易に確認できることがわかる。
【００６４】
また、比較例２の温度管理媒体Ｃもまた、乳化液が充填された柔軟な内包材は、凝固前の色彩と同じ色彩を呈した第一の領域Ａと乳化液２の凝固後の色彩と同じ色彩を呈した第二の領域Ｂとを有する色見本台紙上に設けられていないので、目視によって起動温度に達したことを確認することが困難であるため、手で硬質容器を押して乳化液の硬さにより起動温度に達したか否か判断しようとしたが、硬質容器が硬く、乳化液の硬さを確認することができなかった。したがって、やはり乳化液の凝固の前後の色彩と同じ色彩を呈する前記色見本台紙を設けることにより、温度管理媒体が起動温度に達したか否か精度良く、視覚的に容易に確認できることがわかると共に、乳化液は柔軟な内包材に充填したほうが触覚的にも確認できることがわかる。
【００６５】
これにより、本発明の実施例１における温度管理媒体Ａは、精度の高い温度履歴を示すことができ、冷凍・冷蔵状態を保った保存や移動を伴う荷物の温度管理に有効であることが分かる。しかも、実施例１の温度管理媒体Ａは、適正な温度で使用されていることが容易にわかるので、確実により効果的な温度管理を行うことが可能なものといえる。
【００６６】
なお、上記実施形態では、乳化液凝固前の色彩と同じ色彩を呈した第一の領域Ａと乳化液の凝固後の色彩と同じ色彩を呈した第二の領域Ｂとが、互いに隣接している場合について説明したが、本発明はこれに限らず、たとえば、図７に示すように、乳化液２の凝固前の色彩を呈した第一の領域Ａと凝固後の色彩を呈した第二の領域Ｂとの間の隣接部に沿って帯状に、前記二つの領域Ａ，Ｂの色彩とは異なる色彩を呈する第三の領域Ｃが設けた色見本台紙１４の上に、これら三つの領域Ａ，Ｂ，Ｃを跨ぐように乳化液３を収容した内包材２を配置する構成により温度管理媒体１１としても良い。
これにより、乳化液の色彩と前記二つの色彩が何れも同系色であった場合、乳化液が所定温度前後で変化する二つの領域の色彩に同化して色彩の変化が確認しづらくなってしまうことがなく、乳化液の色彩に変化があったことを見逃さずに、精度の高い温度管理を行うことができる。
【００６７】
また、上記第三の領域Ｃは、乳化液２の凝固前の色彩を呈した第一の領域Ａと凝固後の色彩を呈した第二の領域Ｂとの間の隣接部に沿って帯状に設けるものに限らず、たとえば、図８に示すように、前記二つの領域Ａ，Ｂが点によって接している場合、その両側に同形状をした第三の領域Ｃをそれぞれ設けた色見本台紙１０４の上に、これら三つの領域Ａ，Ｂ，Ｃを跨ぐように乳化液３を収容した円形の内包材１０２を配置する構成により温度管理媒体１０１としても良い。
これにより、乳化液の色彩と前記二つの色彩が何れも同系色であった場合、乳化液が所定温度前後で変化する二つの領域の色彩に同化して色彩の変化が確認しづらくなってしまうことがないことは勿論のこと、乳化液の色彩に変化があったことが一層見易く、その変化を見逃さずに、精度の高い温度管理を行うことができる。
【産業上の利用可能性】
【００６８】
本発明の温度管理媒体は、荷物の表面に貼付する従来の利用形態の他に、食品や薬品と同梱して用いる新たな形態にも利用できることから、食品や薬品の温度管理の状況を把握することにも利用できる。
【図面の簡単な説明】
【００６９】
【図１】本発明に係る温度管理媒体の一実施形態を示す概略断面図である。
【図２】本発明に係る温度管理媒体の一実施形態を示す概略平面図である。
【図３】本発明に係る温度管理媒体における内包材の製造方法を順次説明する概略図である。
【図４】本発明に係る温度管理媒体を取り付けた箱体において温度管理媒体が起動温度に達する前の状態を示す概略図である。
【図５】本発明に係る温度管理媒体を取り付けた箱体において温度管理媒体が起動温度に達した時の状態を示す概略図である。
【図６】本発明に係る温度管理媒体を取り付けた箱体において乳化液が変化した後の状態を示す概略図である。
【図７】本発明に係る温度管理媒体の他の実施形態を示す概略平面図である。
【図８】本発明に係る温度管理媒体のさらに他の実施形態を示す概略平面図である。
【符号の説明】
【００７０】
Ａ・・・第一の領域、Ｂ・・・第二の領域、Ｃ・・・第三の領域、１，１１，１０１・・・温度管理媒体、２，１０２・・・内包材、３・・・乳化液、４，１４，１０４・・・台紙、１０・・・箱体、２０・・・シート体、３１・・・水相、３２・・・油相。
【図１】
2006200895.tif 000012
【図２】
2006200895.tif 000013
【図３】
2006200895.tif 000014
【図４】
2006200895.tif 000015
【図５】
2006200895.tif 000016
【図６】
2006200895.tif 000017
【図７】
2006200895.tif 000018
【図８】
2006200895.tif 000019